(57)【要約】【課題】  既設の光ケーブルを交換する際に、接続部がスパイラルハンガ内に位置することを防止することが可能であり、容易に光ケーブルを交換可能な光ケーブルの布設方法等を提供する。【解決手段】  クロージャからスパイラルハンガへの導入部の間において、既設の光ケーブルを切断し、クロージャから引き出されている既設の光ケーブルの光ファイバと、新たに布設した光ケーブルの光ファイバとを接続する。同様に、建屋からスパイラルハンガへの導入部の間において、既設の光ケーブルを切断し、光ケーブルの引き落とし部側の端部近傍において、支持線と光ファイバとを分離し、建屋から引き出されている既設の光ケーブルの光ファイバと、新たに布設した光ケーブルの光ファイバとを接続する。【選択図】図１
2020091347.tif 000002
【特許請求の範囲】
【請求項１】
クロージャと、
前記クロージャから引き出されて、引き落とし部まで布設される光ケーブルと、
前記光ケーブルを支持する電柱間において、前記光ケーブルを支持するスパイラルハンガと、
を具備する光ケーブル布設構造において、
前記引き落とし部と、前記クロージャまでの間の、前記スパイラルハンガに、新たな光ケーブルを配置する工程と、
前記クロージャから前記スパイラルハンガへの導入部までの間において、既設の前記光ケーブルを切断して、前記新たな光ケーブルを接続する工程と、
前記引き落とし部から前記スパイラルハンガへの導入部までの間の既設の前記光ケーブルを切断して、前記新たな光ケーブルを接続する工程と、
を具備し、
前記クロージャから前記スパイラルハンガへの導入部までの間と、前記引き落とし部から前記スパイラルハンガへの導入部までの間に、既設の前記光ケーブルと前記新たな光ケーブルとの接続部を配置することを特徴とする光ケーブルの布設方法。
【請求項２】
前記新たな光ケーブルは、前記クロージャから前記引き落とし部までの既設の前記光ケーブルよりも長さが長いことを特徴とする請求項１記載の光ケーブルの布設方法。
【請求項３】
前記クロージャから前記スパイラルハンガへの導入部までの間と、前記引き落とし部から前記スパイラルハンガへの導入部までの間において、既設の前記光ケーブルと前記新たな光ケーブルとの接続部は、保護チューブによって被覆され、前記保護チューブは、目印を有することを特徴とする請求項１又は請求項２に記載の光ケーブルの布設方法。
【請求項４】
前記電柱の少なくとも一部の移設又は交換に伴い、移設又は交換後の光ケーブル布設長が既設の光ケーブル布設長よりも長くなる際に、既設の前記光ケーブルを、既設の前記光ケーブルよりも長い前記新たな光ケーブルに交換することを特徴とする請求項１から請求項３のいずれかに記載の光ケーブルの布設方法。
【請求項５】
クロージャと、
前記クロージャから引き出されて、引き落とし部まで布設される光ケーブルと、
前記光ケーブルを支持する電柱間において、前記光ケーブルを支持するスパイラルハンガと、
を具備し、
前記クロージャから前記スパイラルハンガへの導入部までの間と、前記引き落とし部から前記スパイラルハンガへの導入部までの間に前記光ケーブルの接続部が位置することを特徴とする光ケーブル布設構造。
【発明の詳細な説明】
【技術分野】
【０００１】
本発明は、既設の光ケーブルの一部を交換する光ケーブルの布設方法及び光ケーブル布設構造に関するものである。
【背景技術】
【０００２】
従来、住宅等の建屋に対して光ケーブル等を布設するためには、屋外に設けられる電柱近傍に形成されるクロージャで光ケーブルを分岐し、各建屋に対して光ケーブルが引き落とされる。
【０００３】
図６は、光ケーブル布設構造１００を示す概念図である。電柱１１に布設された幹線ケーブルは、電柱１１近傍に形成されたクロージャ３に導入される。クロージャ３では、必要な光ファイバが分岐され、支持線付光ケーブル１に接続されて、引き落とし部５において、建屋５ａに引き落とされる。なお、支持線付光ケーブル１は、例えば、支持線と光ファイバ心線とを有する自己支持型のドロップケーブルである。
【０００４】
クロージャ３から分岐、接続された支持線付光ケーブル１は、電柱１１の近傍において支持線が分離され、引留具等によって電柱１１に引き留められる。しかし、電柱１１の使用形態の制約によっては引留具等を使用することができず、図６に示すように、クロージャ３から建屋５ａまで１本の支持線付光ケーブル１が布設されることがある。この場合、電柱１１間においては、支持線付光ケーブル１は、スパイラルハンガ９によってメッセンジャワイヤ（吊線）７に支持され、電柱１１近傍では縛りヒモ等でメッセンジャワイヤ７に固定された後、電柱１１を橋渡すように布設される。
【０００５】
図７（ａ）は、図６のＸ部における平面概念図である。前述したように、支持線付光ケーブル１を布設した当初においては、クロージャ３から引き落とし部５までの間に支持線付光ケーブル１の接続部を形成する必要はない。しかし、例えば、電柱１１の更新を行う場合などには、図７（ｂ）に示すように、対象となる電柱１１の近傍に仮設の電柱１１ａを設置し、支持線付光ケーブル１を載せ替える（図中矢印Ｙ）必要がある。
【０００６】
このような場合において、支持線付光ケーブル１の布設ライン長が長くなる場合には、光ケーブルの長さが足りなくなる恐れがある。したがって、図７（ｃ）に示すように、支持線付光ケーブル１の一部を切断し、光ケーブル追加範囲１３において、新たに追加の光ケーブルを接続する必要がある。
【０００７】
この場合には、光ケーブル同士の接続部１４は、他の部位と比較して張力や曲げに対して弱点となり得るため、各種の補強等が施される（例えば特許文献１、２）。また、接続部１４は、支持線同士の接続部と光ケーブル（光ファイバ）同士の接続を含む。このため、接続部１４は、通常、他の部位と比較して外径が大きくなる。
【先行技術文献】
【特許文献】
【０００８】
【特許文献１】特開２０１１−１５９９３２号公報
【特許文献２】特開２００６−６５１７０号公報
【発明の概要】
【発明が解決しようとする課題】
【０００９】
上述のように、支持線付光ケーブル１の一部に新たな光ケーブルを継ぎ足すと、接続部１４がスパイラルハンガ９の内部に位置することとなる。しかし、スパイラルハンガ９内部に接続部１４が位置すると、接続部１４がスパイラルハンガ９に引っ掛かるなどして、接続部１４が損傷するおそれがある。また、他の光ケーブルをスパイラルハンガ９に挿通する際に、この接続部１４との接触によって、当該光ケーブルが損傷するおそれがある。さらに、接続部１４が太いため、複数の接続部１４がスパイラルハンガ９内に配置されると、新たな光ケーブルを挿通すること自体が困難となるおそれがある。
【００１０】
一方、接続部１５を形成しない方法としては、クロージャ３から建屋５ａまでの既設の支持線付光ケーブル１を全て交換する方法がある。しかし、この方法では、作業者が建屋５ａ内に入る必要があるため、建屋５ａの管理者・住人等との時間調整が必要となり、作業が非効率的である。また、クロージャ３内に引き込まれている幹線ケーブルの端末に新たに光ケーブルを接続しようとすると、クロージャ内において、接続に必要な光ファイバの余長が必要となるが、必ずしもクロージャ３内部に、十分な余長がある訳ではなく、光ファイバの接続長さが確保できない場合がある。また、施工時にクロージャ３に接続されている他の光ファイバ等へ悪影響を及ぼしてしまうおそれもある。
【００１１】
本発明は、このような問題に鑑みてなされたもので、既設の光ケーブルを交換する際に、接続部がスパイラルハンガ内に位置することを防止することが可能であり、他の光ケーブルへの影響を小さく留めつつ、容易に光ケーブルを交換可能な光ケーブルの布設方法等を提供することを目的とする。
【課題を解決するための手段】
【００１２】
前述した目的を達するために第１の発明は、クロージャと、前記クロージャから引き出されて、利用者への引き落とし部まで布設される光ケーブルと、前記光ケーブルを支持する複数の電柱と、前記電柱間において、前記光ケーブルを支持するスパイラルハンガと、を具備する光ケーブル布設構造において、前記引き落とし部と、前記クロージャまでの間の、前記スパイラルハンガに、新たな光ケーブルを配置する工程と、前記クロージャから前記スパイラルハンガへの導入部までの間において、既設の前記光ケーブルを切断して、前記新たな光ケーブルを光接続する工程と、前記引き落とし部から前記スパイラルハンガへの導入部までの間の既設の前記光ケーブルを切断して、前記新たな光ケーブルを光接続する工程と、を具備し、前記クロージャから前記スパイラルハンガへの導入部までの間と、前記引き落とし部から前記スパイラルハンガへの導入部までの間であって、既設の前記光ケーブルと前記新たな光ケーブルとの接続部が、前記スパイラルハンガの外側に配置することを特徴とする光ケーブルの布設方法である。
【００１３】
前記新たな光ケーブルは、前記クロージャから前記引き落とし部までの既設の前記光ケーブルよりも長さが長くてもよい。
【００１４】
前記クロージャから前記スパイラルハンガへの導入部までの間と、前記引き落とし部から前記スパイラルハンガへの導入部までの間において、既設の前記光ケーブルと前記新たな光ケーブルとの接続部は、保護チューブによって被覆され、前記保護チューブは、目印を有していてもよい。
【００１５】
前記電柱の少なくとも一部の移設又は交換に伴い、移設又は交換後の光ケーブル布設長が既設の光ケーブル布設長よりも長くなる際に、既設の前記光ケーブルを、既設の前記光ケーブルよりも長い前記新たな光ケーブルに交換してもよい。
【００１６】
第１の発明によれば、接続部がスパイラルハンガの内部に位置しないため、スパイラルハンガに他の光ケーブルを挿通する際に、当該接続部によって、他の光ケーブルの挿通の妨げとなったり、他の光ケーブル等が損傷したりすることを防止することができる。
【００１７】
特に、新たに追加する光ケーブルが、既設の光ケーブルよりも長ければ、光ケーブルの布設長を延長することができる。
【００１８】
また、接続部及び接続部近傍の光ケーブルを保護する保護チューブに目印を設けることで、接続部が配置されていない他の部位における保護チューブと区別することができる。このため、接続部が収容されている保護チューブを取り扱う際に、作業者に注意を促すことができる。
【００１９】
このような、光ケーブルの交換方法は、電柱の移設・交換時において、光ケーブルの布設長が長くなるような場合に、特に有効である。
【００２０】
第２の発明は、クロージャと、前記クロージャから引き出されて、利用者への引き落とし部まで布設される光ケーブルと、前記光ケーブルを支持する複数の電柱と、前記電柱間において、前記光ケーブルを支持するスパイラルハンガと、を具備し、前記クロージャから前記スパイラルハンガへの導入部までの間と、前記引き落とし部から前記スパイラルハンガへの導入部までの間であって、前記スパイラルハンガの外側に前記光ケーブルの接続部が位置することを特徴とする光ケーブル布設構造である。
【００２１】
第２の発明によれば、スパイラルハンガに他の光ケーブルを挿通する際に、接続部によって、他の光ケーブルの挿通の妨げとなったり、他の光ケーブル等が損傷したりすることがない、光ケーブル布設構造を得ることができる。
【発明の効果】
【００２２】
本発明によれば、既設の光ケーブルを交換する際に、接続部がスパイラルハンガ内に位置することを防止することが可能であり、容易に光ケーブルを交換可能な光ケーブルの布設方法等を提供することができる。
【図面の簡単な説明】
【００２３】
【図１】支持線付光ケーブル１の布設方法（交換方法）を示すフローチャート。
【図２】（ａ）、（ｂ）は、支持線付光ケーブル１の交換工程を示す図。
【図３】（ａ）、（ｂ）は、支持線付光ケーブル１の交換工程を示す図。
【図４】（ａ）、（ｂ）は、支持線付光ケーブル１の交換工程を示す図。
【図５】光ケーブル布設構造３０を示す図。
【図６】従来の光ケーブル布設構造１００を示す図。
【図７】（ａ）、（ｂ）、（ｃ）は、支持線付光ケーブル１の従来の交換工程を示す図。
【発明を実施するための形態】
【００２４】
以下、図面を参照しながら、本発明の実施形態について説明する。図１は、既設の支持線付光ケーブル１の敷設方法を示すフローチャートである。本実施形態では、図６に示した光ケーブル布設構造１００に対して、例えば、図７に示した電柱の移設・交換の際における光ケーブル交換方法（布設方法）について説明する。
【００２５】
前述したように、光ケーブル布設構造１００は、クロージャ３と、クロージャ３から引き出されて、利用者等への引き落とし部５まで布設される既設の支持線付光ケーブル１と、支持線付光ケーブル１を支持する複数の電柱１１間において、支持線付光ケーブル１を支持するスパイラルハンガ９とからなる。
【００２６】
まず、図６に示した光ケーブル布設構造１００に対して、クロージャ３と引き落とし部５の間のスパイラルハンガ９に、所定の長さの新たな支持線付光ケーブル２０を配置する（ステップ１０１）。
【００２７】
図２（ａ）は、支持線付光ケーブル２０を、支持線付光ケーブル１に沿って、スパイラルハンガ９内へ挿通する（図中矢印Ａ）工程を示す図である。なお、以下の図において、電柱１１及び建屋５ａの図示を省略する。また、支持線付光ケーブル１及び新たな支持線付光ケーブル２０は、例えば通常の自己支持型のドロップケーブルであるが、テンションメンバや外被等の図示及び説明を省略し、内部の支持線及び光ファイバについてのみを図示して説明する。また、以下の説明及び図示において、光ファイバは１本のみの場合を示すが、２本以上の所望の本数を有する光ケーブルであってもよい。
【００２８】
支持線付光ケーブル１は、光ファイバを含む光ケーブル１ａと、支持線１ｂとを具備する。支持線１ｂの引き留め部近傍においては、支持線１ｂと光ケーブル１ａとが分離される。なお、支持線１ｂが分離され、光ケーブル１ａのみとなる部位には、保護チューブ１７が配置される。保護チューブ１７は、長手方向に沿って割り部を有するチューブであり、光ケーブル１ａを被覆して、光ケーブル１ａを保護するためのものである。
【００２９】
図２（ｂ）は、クロージャ３近傍から、引き落とし部５近傍まで、支持線付光ケーブル２０を布設した状態を示す図である。なお、支持線付光ケーブル２０は、同一範囲における支持線付光ケーブル１よりも長めに布設される。この状態において、まず、支持線付光ケーブル２０のクロージャ３側の端部近傍において、支持線２０ｂと、光ファイバを含む光ケーブル２０ａとを分離する。
【００３０】
次に、クロージャ３からスパイラルハンガ９への導入部の間（図３（ａ）のＢ部）において、支持線付光ケーブル１を切断する（ステップ１０２）。次いで、図３（ｂ）に示すように、クロージャ３から引き出されている既設の支持線付光ケーブル１の光ケーブル１ａと、新たに布設した支持線付光ケーブル２０の光ケーブル２０ａとを融着機等を用いて光接続する（ステップ１０３）。光ケーブル１ａと光ケーブル２０ａとの接続部１５は、例えば融着接続後に補強部材と補強スリーブとで補強される。
【００３１】
その後、幹線ケーブル側から支持線付光ケーブル１に信号光を導入し、支持線付光ケーブル２０の引き落とし部５側の端部において、信号光を受光する（図中矢印Ｃ）。すなわち、光ケーブル１ａと光ケーブル２０ａとの光接続の状態を確認する（ステップ１０４）。光接続に問題がある場合には、ステップ１０３から再度作業をやり直す。
【００３２】
次に、図４（ａ）に示すように、クロージャ３から切断部まで引き出されている既設の支持線付光ケーブル１の支持線１ｂを撤去し、支持線付光ケーブル２０の支持線２０ｂとクロージャ３とを接続して固定する。すなわち、支持線付光ケーブル１と支持線付光ケーブル２０の光ファイバ同士が接続される。また、光ケーブル１ａと光ケーブル２０ａとの接続部１５近傍の外周には、保護チューブ１７ａが取り付けられる。保護チューブ１７ａは、接続部１５を含み、光ケーブル１ａの露出部の外周に取り付けられる（ステップ１０５）。
【００３３】
なお、保護チューブ１７ａは、交換前に使用されていた保護チューブ１７と同一のものでも良いが、何らかの目印を有するものであることが望ましい。このような目印としては、例えば、通常の保護チューブが黒色であるところ、着色して他の色としてもよく、また、通常とは外径の異なる保護チューブとしてもよい。このような目印を設けることで、内部に接続部１５が収容されていることを作業者に対して知らせることができる。
【００３４】
次に、引き落とし部５（建屋５ａ）からスパイラルハンガ９への導入部の間（図４（ａ）のＤ１部、Ｄ２部）において、支持線付光ケーブル１を切断する。（ステップ１０６）。次いで、図４（ｂ）に示すように、支持線付光ケーブル２０の引き落とし部５側の端部近傍において、支持線２０ｂと光ケーブル２０ａとを分離し、建屋５ａから引き出されている支持線付光ケーブル１の光ケーブル１ａと、支持線付光ケーブル２０の光ケーブル２０ａの光ファイバ同士を光接続する（ステップ１０７）。前述したように、光ケーブル１ａと光ケーブル２０ａとの接続部１５は、例えば融着接続後に補強部材と補強スリーブとで補強される。
【００３５】
その後、幹線ケーブル側から支持線付光ケーブル１に信号光を導入し、建屋５ａ内の端末装置において、信号光を受光し、光ケーブル１ａと光ケーブル２０ａとの光接続の状態を確認する（ステップ１０８）。光接続に問題がある場合には、ステップ１０７から再度作業をやり直す。
【００３６】
次に、図５に示すように、建屋５ａから引き出されている支持線付光ケーブル１の支持線１ｂと、支持線付光ケーブル２０の支持線２０ｂをメッセンジャワイヤ７に設置される引留具で固定する。また、光ケーブル１ａと光ケーブル２０ａとの接続部１５近傍の外周には、保護チューブ１７ｂが取り付けられる。保護チューブ１７ｂは、接続部１５を含み、光ケーブル１ａの露出部の外周に取り付けられる（ステップ１０９）。
【００３７】
最後に、スパイラルハンガ９内の支持線付光ケーブル１を撤去することで、光ケーブル布設構造３０を得ることができる。すなわち、スパイラルハンガ９内の支持線付光ケーブル１を支持線付光ケーブル２０に交換することができる。なお、撤去される支持線付光ケーブル１に対して、支持線付光ケーブル２０の長さを長くした場合には、例えば、引き落とし部５側の接続部１５とスパイラルハンガ９への導入部の間において、余長部を丸めて固定する。
【００３８】
このようにして得られる光ケーブル布設構造３０は、クロージャ３と、クロージャ３から引き出されて、利用者への引き落とし部５まで布設される支持線付光ケーブル１及び支持線付光ケーブル２０と、支持線付光ケーブル２０を支持する複数の電柱１１間において、支持線付光ケーブル２０を支持するスパイラルハンガ９から構成される。
【００３９】
この際、光ケーブル１ａと光ケーブル２０ａとの接続部１５が、スパイラルハンガ９の外側に配置される。すなわち、クロージャ３からスパイラルハンガ９への導入部までの間と、引き落とし部５から前記スパイラルハンガ９への導入部までの間に光ケーブル１ａと光ケーブル２０ａの接続部１５が位置する。
【００４０】
以上説明したように、本実施形態によれば、スパイラルハンガ９の内部に、光ケーブル１ａと光ケーブル２０ａとの接続部１５が配置されることがない。このため、支持線付光ケーブル２０がスパイラルハンガ９に対して移動することがなく、他の部位に対して太さが太くなる接続部１５が、スパイラルハンガ９に引っかかることがない。例えば、前述したように、電柱１１の移設等に伴い、布設ライン長が長くなる場合においても、接続部１５がスパイラルハンガ９内を移動することがない。また、接続部１５は、支持線１ｂ、２０ｂの接続部を含まず、従来の支持線同士の接続部を含む接続部１４（図７（ｃ）参照）と比較しても細径である。このため、接続部１５が損傷することがなく、また、接続部１５によって、他の光ケーブルの布設の妨げとなることもない。
【００４１】
このように、本実施形態は、前述したように、電柱１１の少なくとも一部の移設又は交換に伴い、移設又は交換後の光ケーブル布設長が既設の光ケーブル布設長よりも長くなる際において、支持線付光ケーブル１を、支持線付光ケーブル１よりも長い新たな支持線付光ケーブル２０に交換するのに特に有効である。なお、布設長が変化しなくても、支持線付光ケーブル１の損傷に伴い、光ケーブルを交換するような場合にも本実施形態は適用可能である。
【００４２】
また、接続部１５よりもクロージャ３側（図５中Ｅ部）と、接続部１５よりも建屋５ａ側（図５中Ｆ部）には、支持線付光ケーブル１が残るため、建屋５ａ内での作業がなく、また、クロージャ３内部の余長も必要ではない。
【００４３】
また、接続部１５が収容される保護チューブ１７ａ、１７ｂが、他の部位に用いられている保護チューブ１７に対して目印を有すれば、作業者に対する注意喚起となる。
【００４４】
以上、添付図を参照しながら、本発明の実施の形態を説明したが、本発明の技術的範囲は、前述した実施の形態に左右されない。特に、本明細書では、電柱の移設に伴って既設の光ケーブル長に不足が生じる場合を例にして説明したが、これに限定されるものではなく、既設の光ケーブルの交換において広く適用可能なものである。また、本発明の技術的範囲は、当業者であれば、特許請求の範囲に記載された技術的思想の範疇内において各種の変更例又は修正例に想到し得ることは明らかであり、それらについても当然に本発明の技術的範囲に属するものと了解される。
【符号の説明】
【００４５】
１………支持線付光ケーブル
１ａ………光ケーブル
１ｂ………支持線
３………クロージャ
５………引き落とし部
５ａ………建屋
７………メッセンジャワイヤ
９………スパイラルハンガ
１１、１１ａ………電柱
１３………光ケーブル追加範囲
１４、１５………接続部
１７、１７ａ、１７ｂ………保護チューブ
２０………支持線付光ケーブル
２０ａ………光ケーブル
２０ｂ………支持線
３０、１００………光ケーブル布設構造
【図１】
2020091347.tif 000003
【図２】
2020091347.tif 000004
【図３】
2020091347.tif 000005
【図４】
2020091347.tif 000006
【図５】
2020091347.tif 000007
【図６】
2020091347.tif 000008
【図７】
2020091347.tif 000009